(57)【要約】【課題】ＬＥＤ操作子の輝度をユーザが調整できる音響調整卓を提供する。【解決手段】音響調整卓は、輝度調整モード選択ボタン１５、調整対象指定ボタン１７，１８，１９及び２０を備える。ユーザは、輝度調整モード選択ボタン１５を操作して輝度調整モードをセットし、調整対象指定ボタン１７，１８，１９又は２０を操作して、調整対象としてＲＧＢいずれかのＬＥＤ、又は全色を指定する。ＬＥＤボタン９（例えばボタン８）を操作すると、そのＬＥＤボタン９に組み込まれた多色ＬＥＤユニット１０中の調整対象の色のＬＥＤの輝度が１段階ずつ増す。別の例では、ボタン８の操作に応じて、このボタン８とは別の複数のＬＥＤボタン９に組み込まれた多色ＬＥＤユニット１０中の調整対象の色のＬＥＤの輝度が１段階ずつ増す。この作業を、ＬＥＤ毎、及びＬＥＤボタン９ごとに行う。【選択図】図３
2010232839.tif 000002
【特許請求の範囲】
【請求項１】
所定の複数色の各色毎のＬＥＤを１組とする多色ＬＥＤユニットが組み込まれた複数のＬＥＤ操作子を含む複数の操作子と、
前記多色ＬＥＤユニットを構成する複数のＬＥＤのそれぞれに対する点灯制御データであって、対応するＬＥＤを点灯させる輝度を表すものを記憶した記憶手段と、
前記記憶手段に記憶された各点灯制御データに基づき、前記多色ＬＥＤユニットを構成する複数のＬＥＤを個別に点灯制御する点灯制御手段と
を備えた音響調整卓において、
ユーザの操作に応じて、音響調整卓の動作モードを多色ＬＥＤユニットの輝度を調整する輝度調整モードに切り替える動作モード切り替え手段と、
ユーザの操作に応じて、前記多色ＬＥＤユニットを構成する所定の複数色の少なくともいずれか１つを調整対象の色として指定する調整対象指定手段と、
前記輝度調整モードにおいて、前記複数の操作子のうちいずれか１つをユーザが操作したときに、該操作された操作子に対応するＬＥＤ操作子に組み込まれた多色ＬＥＤユニット中の前記調整対象指定手段により指定された色に対応するＬＥＤについて、前記記憶手段に記憶された点灯制御データが表す輝度を変更する輝度調整手段と
を備えることを特徴とする音響調整卓。
【請求項２】
前記記憶手段に記憶された点灯制御データは、所定の期間内においてＬＥＤを点灯すべき時間の長さを規定する時間パターンによって、対応するＬＥＤを点灯させる輝度を表すデータにより構成されており、
前記点灯制御手段は、前記所定の期間よりも長い時間の点灯周期毎に、前記多色ＬＥＤユニットを構成する複数のＬＥＤのそれぞれを、前記記憶手段に記憶された点灯制御データが示す時間パターンに基づき点灯および消灯する制御を行うものであり、
前記輝度調整手段は、前記ユーザによる操作子の操作に応じて、前記記憶手段に記憶された点灯制御データが表す時間パターンを変更することを特徴とする請求項１に記載の音響調整卓。
【請求項３】
前記記憶手段に記憶された点灯制御データは、電圧値によって、対応するＬＥＤを点灯させる輝度を表すデータにより構成されており、
前記点灯制御手段は、前記多色ＬＥＤユニットを構成する複数のＬＥＤのそれぞれを、前記記憶手段に記憶された点灯制御データが示す電圧値に基づき点灯制御するものであり、
前記輝度調整手段は、前記ユーザによる操作子の操作に応じて、前記記憶手段に記憶された点灯制御データが表す電圧値を変更することを特徴とする請求項１に記載の音響調整卓。
【請求項４】
前記輝度調整モードにおいて、ユーザが操作する操作子はＬＥＤ操作子であって、
前記輝度調整手段は、前記ユーザによるＬＥＤ操作子の操作に応じて、そのＬＥＤ操作子に組み込まれた多色ＬＥＤユニット中の前記調整対象指定手段により指定された色に対応するＬＥＤについて、前記記憶手段に記憶された点灯制御データが表す輝度を変更することを特徴とする請求項１乃至３のいずれかに記載の音響調整卓。
【請求項５】
前記輝度調整手段は、前記輝度調整モードにおいて、前記複数の操作子のうちいずれか１つをユーザが操作したときに、該操作された操作子とは別の所定の複数のＬＥＤ操作子のそれぞれに組み込まれた複数の多色ＬＥＤユニット中の前記調整対象指定手段により指定された色に対応する複数のＬＥＤについて、前記記憶手段に記憶された点灯制御データが表す輝度を変更することを特徴とする請求項１乃至３のいずれかに記載の音響調整卓。
【請求項６】
前記輝度調整モードにおいて、ユーザが操作する操作子は、押しボタンスイッチであり、前記輝度調整手段は、該押しボタンスイッチの１回の操作毎に、点灯制御データが表すＬＥＤの輝度を１段階ずつ増すことで、その押しボタンスイッチに対応するＬＥＤ操作子に組み込まれた多色ＬＥＤユニット中の前記調整対象指定手段により指定された色に対応するＬＥＤについて、前記記憶手段に記憶された点灯制御データが表す輝度を変更することを特徴とする請求項１乃至５のいずれかに記載の音響調整卓。
【請求項７】
前記調整対象指定手段は、ユーザの操作に応じて、前記多色ＬＥＤユニットを構成する所定の複数色の各色を１つずつ調整対象に指定する手段及び、該所定の複数色の全色を一括して調整対象に指定する手段からなり、
前記輝度調整手段は、前記調整対象指定手段により、前記複数色のうちの１色が調整対象に指定された場合、前記ユーザによる操作子の操作に応じて、該指定された１色に対応するＬＥＤ、前記記憶手段に記憶された点灯制御データが表す輝度を変更し、また、前記複数色の全色が一括して調整対象に指定された場合、前記ユーザによる操作子の操作に応じて、該指定された全色に対応する各ＬＥＤについて、前記記憶手段に記憶された各点灯制御データが表す輝度を変更することを特徴とする請求項１乃至６のいずれかに記載の音響調整卓。
【請求項８】
前記調整対象指定手段は、前記多色ＬＥＤユニットを構成する所定の複数色の各色毎のＬＥＤに対応する所定の複数の輝度調整用操作子と、
前記輝度調整モードにおいて、ユーザによるＬＥＤ操作子の操作に応じて、そのＬＥＤ操作子に組み込まれた多色ＬＥＤユニットを構成する複数のＬＥＤに対する各点灯制御データを、各ＬＥＤに対応する前記所定の複数の輝度調整用操作子に対して割り当てる割り当て手段とからなり、
前記輝度調整手段は、前記輝度調整用操作子がユーザによって操作されたときに、該操作された輝度調整用操作子に対して前記割り当て手段によって割り当てられた点灯制御データが表す輝度を変更することを特徴する請求項１乃至６のいずれかに記載の音響調整卓。
【請求項９】
前記輝度調整用操作子は、回転式に操作されるノブ型操作子であることを特徴とする請求項８に記載の音響調整卓。
【請求項１０】
前記割り当て手段は、ユーザの操作により前記複数のＬＥＤ操作子のうちいずれか１つがユーザにより操作されたときに、該操作されたＬＥＤ操作子に対応する多色ＬＥＤユニットの複数のＬＥＤに対する点灯制御データを、１つの前記輝度調整用操作子に一括して割り当てる手段を含み、
複数のＬＥＤに対する点灯制御データを１つの輝度調整用操作子に一括して割り当てた場合に、前記輝度調整手段は、前記輝度調整用操作子がユーザによって操作されたときに、該操作された輝度調整用操作子に対して前記割り当て手段によって割り当てられた複数のＬＥＤに対する点灯制御データが表す輝度を一括して変更することを特徴とする請求項８又は９に記載の音響調整卓。
【請求項１１】
請求項１乃至７のいずれかに記載した音響調整卓の操作方法であって、
輝度調整モードにおいて、ユーザの操作により調整対象となる色を指定する工程と、
ユーザによる操作子の操作に応じて、その操作子に対応するＬＥＤ操作子に組み込まれた多色ＬＥＤユニット中の前記指定された色に対応するＬＥＤについて輝度を変更する工程と、
そのＬＥＤについて輝度調整が終了した後に、ユーザの操作により調整対象として別の色を指定して、該指定された別の色について輝度を変更することを繰り返すことで、前記多色ＬＥＤユニットが組み込まれたＬＥＤ操作子の輝度を調整する工程と、
上記各工程を複数のＬＥＤ操作子について行う工程と
からなる複数のＬＥＤ操作子の輝度を調整する操作方法。
【請求項１２】
請求項８乃至１０のいずれかに記載した音響調整卓の操作方法であって、
輝度調整モードにおいて、ユーザによるＬＥＤ操作子の操作に応じて、そのＬＥＤ操作子に対応する多色ＬＥＤユニットの複数のＬＥＤに対する点灯制御データを前記所定の複数の輝度調整用操作子のそれぞれに割り当てる工程と、
ユーザによる前記輝度調整用操作子の操作に応じて、該操作された輝度調整操作子に対応するＬＥＤについて輝度を変更することで、前記多色ＬＥＤユニットが組み込まれたＬＥＤ操作子の輝度を調整する工程と、
前記ＬＥＤ操作子の輝度調整が終了した後に、別のＬＥＤ操作子について上記各工程を繰り返す工程と
からなる複数のＬＥＤ操作子の輝度を調整する操作方法。
【発明の詳細な説明】
【技術分野】
【０００１】
この発明は、複数チャンネルの音響信号をミキシングするための操作等に用いる複数の操作子を有する音響調整卓であって、該複数の操作子のうちに、所定の複数色の各色毎のＬＥＤを１組とする多色ＬＥＤユニットが組み込まれたＬＥＤ操作子を含むものに関する。
【背景技術】
【０００２】
色の三原色であるＲＧＢ（赤色（Ｒ）、緑色（Ｇ）、青色（Ｂ））のそれぞれに対応する３つのＬＥＤ（発光ダイオード（Ｌｉｇｈｔ  Ｅｍｉｔｔｉｎｇ  Ｄｉｏｄｅ））を用いて１組の多色ＬＥＤユニットを構成し、赤色用ＬＥＤ、緑色用ＬＥＤ、及び青色用ＬＥＤの各色を任意の比率で発光させることで、多種の色を表現することが知られている。
【０００３】
上記のような多色ＬＥＤユニットは、様々な機器の様々な部品に利用されている。多色ＬＥＤユニットの利用例の１つに、電子機器に備わる操作子に多色ＬＥＤユニットを組み込んで、いわゆる自照式の操作子（ＬＥＤ操作子）を構成することがある。例えば、オーディオミキシング用の音響調整卓に備わる多数の操作子について、多色ＬＥＤユニットを組み込むことが従来から行われている。この場合、多色ＬＥＤユニットの点灯や、その発光色の色分けによって、ＬＥＤ操作子に割り当てられたパラメータのオン・オフ状態や、パラメータの種類等を、視覚を通じて直感的に把握できるようになる。一般に、音響調整卓のユーザは、多数の操作子を用いた複雑な作業を行わなければならないため、多色ＬＥＤユニットの発光により、パラメータのオン・オフ状態や、パラメータの種類等を、視覚を通じて直感的に把握できることは、作業性や操作性等の点で有利である。
【０００４】
ところで、多色ＬＥＤユニットを構成する個々のＬＥＤは、固体毎の発光特性のバラツキが大きいという欠点がある。このため、複数の多色ＬＥＤユニットの各ＬＥＤに対して同じ駆動信号を与えて、同じ発光特性で発光させているつもりであっても、各多色ＬＥＤユニットの相互の輝度や、発光色の色合に不均一が生じうる。例えば、複数の多色ＬＥＤユニットを同じ赤色で発光させようとしたとしても、全ての多色ＬＥＤユニットが同じ輝度又は色合の「赤色」で発光するとは限らなかった。
【０００５】
ＬＥＤ個体毎の発光特性のバラツキという問題を解決するために、従来、個々のＬＥＤ毎の輝度や色調を調整する機器が考案されている。その一例としては、各ＬＥＤの点灯具合を自動測定し、自動測定の結果とそのＬＥＤを点灯させるための駆動信号を比較して、その比較結果に基づき各ＬＥＤの発光特性を補正する技術があった（例えば、下記特許文献１、及び下記特許文献２を参照）。
【０００６】
また、音響調整卓のユーザインターフェースについて、表示の輝度や色合を調整する技術には、例えば、音響調整卓に備わるカラーＬＣＤディスプレイの画面の明るさをユーザが調整したときに、その調整された明るさに応じて、カラーＬＣＤディスプレイの画面の色合等を自動的に調整するものがあった（例えば、特許文献３を参照）。
【先行技術文献】
【特許文献】
【０００７】
【特許文献１】特開２００３‐１７７７１４号公報
【特許文献２】特開２００８‐２０３８９２号公報
【特許文献３】特開２００６‐１７８１３１号公報
【発明の概要】
【発明が解決しようとする課題】
【０００８】
多色ＬＥＤユニットを構成する各ＬＥＤは、前述の通り、固体毎の発光特性（輝度及び色合）のバラツキが大きいという欠点がある。しかし、従来の音響調整卓においては、操作子に組み込んだ多色ＬＥＤユニットの輝度をユーザが調整することができるものはなかった。
【０００９】
また、仮に、音響調整卓において多色ＬＥＤユニットの輝度をユーザが調整する作業が可能となるにしても、その作業は音響調整卓の本来の機能からみれば付随的な作業である。加えて、音響調整卓の本来の機能に係る作業は、専門性が高く非常に複雑な作業である。これらの点から、多色ＬＥＤユニットの輝度をユーザが調整することができるようにするにあたり、できるだけ簡潔でわかり易い方法によって、多色ＬＥＤユニットの輝度の調整を行えることが望ましい。
【００１０】
また、仮に、上記特許文献１又は２に記載された技術を音響調整卓に適用した場合には、多数の操作子に対応する多数のＬＥＤ毎に、その点灯具合を自動測定する機構等を設けなければならず、非常にコストがかかる。多色ＬＥＤユニットの輝度をユーザが調整する機能は、上記の通り音響調整卓の本来の機能からみれば付随的な機能であるから、この機能はできるだけコストをかけずに実現するのが望ましい。
【００１１】
この発明は、上記の点に鑑みてなされたもので、多色ＬＥＤユニットを組み込んだＬＥＤ操作子の輝度をユーザの操作により調整できる音響調整卓を提供することを目的とする。
【課題を解決するための手段】
【００１２】
この発明は、所定の複数色の各色毎のＬＥＤを１組とする多色ＬＥＤユニットが組み込まれた複数のＬＥＤ操作子を含む複数の操作子と、前記多色ＬＥＤユニットを構成する複数のＬＥＤのそれぞれに対する点灯制御データであって、対応するＬＥＤを点灯させる輝度を表すものを記憶した記憶手段と、前記記憶手段に記憶された各点灯制御データに基づき、前記多色ＬＥＤユニットを構成する複数のＬＥＤを個別に点灯制御する点灯制御手段とを備えた音響調整卓において、ユーザの操作に応じて、音響調整卓の動作モードを多色ＬＥＤユニットの輝度を調整する輝度調整モードに切り替える動作モード切り替え手段と、ユーザの操作に応じて、前記多色ＬＥＤユニットを構成する所定の複数色の少なくともいずれか１つを調整対象の色として指定する調整対象指定手段と、前記輝度調整モードにおいて、前記複数の操作子のうちいずれか１つをユーザが操作したときに、該操作された操作子に対応するＬＥＤ操作子に組み込まれた多色ＬＥＤユニット中の前記調整対象指定手段により指定された色に対応するＬＥＤについて、前記記憶手段に記憶された点灯制御データが表す輝度を変更する輝度調整手段とを備えることを特徴とする。
【００１３】
本発明に係る音響調整卓によれば、輝度調整モードにおいて、ユーザは、多色ＬＥＤユニットを構成する所定の複数色の少なくともいずれか１つを調整対象の色として指定し、複数の操作子のうちいずれか１つを操作することで、該操作された操作子に対応するＬＥＤ操作子に組み込まれた多色ＬＥＤユニット中の前記指定された色に対応するＬＥＤについて、前記記憶手段に記憶された点灯制御データが表す輝度を変更することができる。これにより、ユーザ自らの操作により、各ＬＥＤ操作子に組み込まれた多色ＬＥＤユニットの各ＬＥＤ毎に輝度を調整することができる。
【発明の効果】
【００１４】
この発明によれば、音響調整卓において、多色ＬＥＤユニットを組み込んだＬＥＤ操作子毎に、該多色ＬＥＤユニットを構成する各ＬＥＤ毎の輝度を、ユーザの操作により調整することができるようになるという優れた効果を奏する。これに伴い、例えば、あるＬＥＤ操作子の輝度を基準として、他のＬＥＤ操作子の輝度をＬＥＤ毎に調整することや、複数のＬＥＤ操作子の間の各ＬＥＤ毎の輝度のバラツキを簡単に修正することができるようになる。更に、この輝度調整の作業は、輝度調整モードを起動して、調整対象の色を指定してから、輝度調整を行いたい多色ＬＥＤユニットに対応する操作子を操作するだけで行うことができるので、簡潔でわかり易い方法により行うことができる。また、ＬＥＤの点灯具合を自動測定する機構等が不要であるため、輝度調整の機能はコストをかけずに実現できる。
【図面の簡単な説明】
【００１５】
【図１】本発明の一実施例に係る音響調整卓を適用したデジタルミキサの操作パネルの外観の概要を説明する図。
【図２】図１のデジタルミキサの音響調整卓に備わるＬＥＤボタン９の構成を説明するための概略斜視図。
【図３】図１のデジタルミキサの音響調整卓に設けられたコントロールセクションを拡大して示す図。
【図４】図１のデジタルミキサの電子的ハードウェア構成を説明するブロック図。
【図５】（ａ），（ｂ）は、ダイナミック点灯方式による多色ＬＥＤユニット（ＬＥＤボタン）の点灯動作を説明する図。
【図６】ＬＥＤに対する点灯制御データにおける６通りの時間パターンを説明する図。
【図７】輝度調整モード又は色合調整モードをセットする処理の手順を説明するフローチャート。
【図８】調整対象の色（ＬＥＤ）を指定する処理の手順を説明するフローチャート。
【図９】輝度調整処理の手順を説明するフローチャート。
【図１０】（ａ），（ｂ）は、色合調整モードにおいて、多色ＬＥＤユニットの色を変更するときのＲＧＢバランスの変化の様子を説明する図。
【図１１】色合調整処理の手順を説明するフローチャート。
【図１２】本発明の別の実施形態であって、図３に示すコントロールセクショにおいて、調整対象指定操作子に代えて、輝度又は色合調整用操作子を設けた構成を説明するための図。
【発明を実施するための形態】
【００１６】
以下に、本発明の実施の形態に係る音響調整卓を、いわゆるデジタルオーディオミキサに適用した場合について、添付図面を参照して説明する。デジタルオーディオミキサは、複数チャンネルのアナログオーディオ信号を、それぞれデジタルオーディオ信号に変換して、該変換したデジタル信号を各チャンネル毎にＤＳＰ（デジタル信号プロセッサ）により信号処理処理して出力する装置である。
【００１７】
図１は、本発明の一実施例に係る音響調整卓の外観の概要を説明する図である。図１に示す音響調整卓１は、操作パネル上に、オーディオミキシングに関連する各種操作を行うために用いる複数の操作子や、オーディオミキシングに関連する各種情報を表示するＬＣＤディスプレイ２を具備する。音響調整卓１の操作パネル上の複数の操作子の配置は、機能毎の「セクション」に区分されている。
【００１８】
図１において、符号３は、複数本のチャンネルストリップ（図の例では１６本）からなるチャンネルストリップセクションである。１つのチャンネルストリップには、スライド式に操作されるレベル操作子４、回転操作式のノブ型操作子５、及び複数の押しボタンスイッチ６が含まれている。ユーザは、各チャンネルストリップに設けられた操作子４、５及び６を操作することで、該操作したチャンネルストリップに現在割り当てられているチャンネルのオーディオ信号について、音特性（音量レベル等）を調整することができる。
【００１９】
符号７は、チャンネルストリップセクション３の各チャンネルストリップに割り当てるチャンネル群を選択する複数のチャンネル選択ボタン８等を含むコントロールセクションである。コントロールセクション７の詳細は、図３を参照して後述する。
【００２０】
ＬＣＤディスプレイ２は、各種情報を表示した画面を表示する。ユーザは、該表示された画面上でオーディオミキシングの状態をモニタしたり、チャンネル毎のパラメータを制御したりできる。なお、図１では、ＬＣＤディスプレイ２が２つ設けられた操作パネル構成例を示しているが、ＬＣＤディスプレイの設置数は１つでも１以上の複数でもよい。
【００２１】
なお、音響調整卓１の操作パネル上には、上記の他にも操作子や表示器等が具備されるが、それらの図示及び説明は省略した。
【００２２】
音響調整卓１の操作パネル上に配置された複数の操作子のうちには、ＬＥＤ（発光ダイオード（Ｌｉｇｈｔ  Ｅｍｉｔｔｉｎｇ  Ｄｉｏｄｅ））が組み込まれたＬＥＤ操作子が含まれる。「多色ＬＥＤユニットが組み込まれたＬＥＤ操作子」とは、その操作子の操作状態や、その操作子に関連するパラメータの状態等を発光により表示する多色ＬＥＤユニットが、その操作子に対応して設けられているものをいう。
【００２３】
ＬＥＤ操作子の形態は、スライド式に操作されるレベル操作子、回転操作式のノブ型操作子、あるいは、押しボタンスイッチなど、色々な形態が可能である。
本実施例では、一例として、ＬＥＤ操作子が押しボタンスイッチにより構成される例について説明する。以下、本明細書において、多色ＬＥＤユニットが組み込まれたＬＥＤ操作子を「ＬＥＤボタン」という。図１においては、例えば、チャンネルストリップセクション３の各チャンネルストリップに含まれる押しボタンスイッチ６や、コントロールセクション７のチャンネル選択ボタン８などがＬＥＤボタンにより構成される。この場合、ＬＥＤボタンの発光機能は、例えば、点灯することにより、そのＬＥＤボタンに割り当てられたパラメータのオン・オフ状態をユーザに視認させることや、或いは、発光色により、そのＬＥＤボタンに割り当てられたパラメータの種類をユーザに視認させること等、色々な用途に用いることができる。
【００２４】
図２は、ＬＥＤボタンの構成を説明するための概略斜視図である。図２において、網掛けで示す部分は操作パネルの表面であり、符号９はＬＥＤボタンを示し、符号９ａはＬＥＤボタン９のキートップ部を示す。１つのＬＥＤボタン９には、それぞれ異なる色で発光する複数のＬＥＤを１組にユニット化した多色ＬＥＤユニット１０が組み込まれている。多色ＬＥＤユニット１０は、具体的には色の三原色である赤色（Ｒ）、緑色（Ｇ）、及び青色（Ｂ）の各色毎の３つのＬＥＤ１１，１２及び１３からなる。
【００２５】
多色ＬＥＤユニット１０は、赤色用ＬＥＤ１１、緑色用ＬＥＤ１２、及び青色用ＬＥＤ１３の発光色の混合比に応じて、中間色を含む多種の色で発光しうる。３つのＬＥＤ１１，１２及び１３の発光色の混合比は、各ＬＥＤ１１，１２及び１３の明るさ（輝度）に応じて設定される。したがって、各ＬＥＤ１１，１２及び１３の明るさ（輝度）を個別に制御することで、多色ＬＥＤユニット１０を組み込んだＬＥＤボタン９の発光色を任意の色に変更することが可能となる。詳しくは、後述する通り、本発明の実施例は、ＬＥＤボタン９に組み込まれた多色ＬＥＤユニット１０の輝度又は色合をユーザの操作により調整するための構成に特徴がある。
【００２６】
図２に示す通り、赤色用ＬＥＤ１１、緑色用ＬＥＤ１２、及び青色用ＬＥＤ１３のそれぞれに対して１本ずつ制御線１４が接続される。したがって、後述する表示制御回路２４は、各多色ＬＥＤユニット１０を構成するＬＥＤ１１，１２及び１３のそれぞれに対して個別に制御信号を出力して、各ＬＥＤ１１，１２及び１３を個別にオン・オフ制御（点灯・消灯制御）できる。
【００２７】
ＬＥＤボタン９のキートップ部９ａは、光透過性の部材により構成されている。したがって、ＬＥＤボタン９は、内蔵する多色ＬＥＤユニット１０が発光しているときには、その多色ＬＥＤユニット１０の発光色に対応する色で発光しているように見える、いわゆる自照式操作子となる。なお、キートップ部９ａは、全体が光透過性の部材で構成されるものに限らず、キートップ部９ａの少なくとも一部が光透過性部材で構成されていればよい。ＬＥＤの発光による視認性という目的に適うからである。
【００２８】
図３は、図１に示すコントロールセクション７を拡大して示す図である。図３において、コントロールセクション７には、複数のチャンネル選択ボタン８と、ＬＥＤボタン９の輝度、又は色合を調整するための操作子群１５〜２０が具備される。
【００２９】
複数のチャンネル選択ボタン８の１つずつには、１６チャンネルを１組とするチャンネルグループが１グループずつ割り当てられている。図３において、各チャンネル選択ボタン８の右側に記載された文字列「１〜１６」、「１７〜３２」、「３３〜４８」・・・は、対応するチャンネル選択ボタン８に割り当てられたチャンネルグループに属するチャンネル番号を表す。なお、１つのチャンネル選択ボタン８に割り当てられたチャンネルグループに属するチャンネル数は、チャンネルストリップセクション３に設けられたチャンネルストリップの本数に対応する。
【００３０】
複数のチャンネル選択ボタン８のうちで、ユーザにより操作された１つのみがオンとなり、他のボタン８がオフとなる。チャンネル選択ボタン８は、通常の動作モード（後述する輝度調整モード、及び色合調整モードのいずれもオフの場合）では、チャンネルストリップセクション３の複数のチャンネルストリップに割り当てるチャンネルを選択するためのボタンとして機能する。チャンネルストリップセクション３の各チャンネルストリップには、その時点でオンになっているチャンネル選択ボタン８に割り当てられたチャンネルグループに属するチャンネルが１つずつ割り当てられる。なお、チャンネルストリップセクション３のチャンネルストリップ群に割り当てるチャンネルグループを切り替え可能な構成は、デジタルオーディオミキサでは従来より知られている。
【００３１】
図３において、輝度調整モード選択ボタン（Ｂｒｉｇｈｔｎｅｓｓ）１５は、ユーザによる操作毎に、輝度調整モードのオン／オフを切り替えるボタンである。輝度調整モードがオンのときに、ユーザがＬＥＤボタン９を操作すると、該操作されたＬＥＤボタン９に対応する多色ＬＥＤユニット１０について、後述する輝度調整処理が行われる。
【００３２】
また、色合調整モード選択ボタン（Ｃｏｌｏｒ）１６は、ユーザによる操作毎に、色合調整モードのオン／オフを切り替えるボタンである。色合調整モードがオンのときに、ユーザがＬＥＤボタン９を操作すると、該操作されたＬＥＤボタン９に対応する多色ＬＥＤユニット１０について、後述する色合調整処理が行われる。
【００３３】
調整対象指定ボタン１７，１８，１９及び２０は、輝度調整モード、又は色合調整モードがオンのときに、調整対象となるＬＥＤの色（赤色（Ｒ），緑色（Ｇ），若しくは青色（Ｂ）、又は全色（ＡＬＬ））を指定するためのボタンである。輝度調整処理又は色合調整処理において、ユーザは、その時点でオン状態になっている調整対象指定ボタン１７，１８，１９及び２０に対応する色（ＬＥＤ）を対象にして、輝度調整、又は色合調整を行うことができる。
【００３４】
図４は、図１に示す音響調整卓１を備えたデジタルオーディオミキサの電気的ハードウェア構成の概要を説明するブロック図である。図４において、オーディオミキサは、ＣＰＵ２１、ＲＯＭ２２、ＲＡＭ２３、表示制御回路２４に接続された表示部２５、操作検出回路２６に接続された操作部２７、通信制御回路２８に接続された通信インターフェース（通信Ｉ／Ｏ）２９、音響信号入出力回路３０に接続された音響信号インターフェース（音響信号Ｉ／Ｏ）３１、及び信号処理回路（ＤＳＰ）３２を含み、各部は通信バス３３を介してＣＰＵ２１に接続される。
【００３５】
ＣＰＵ２１は、ＲＯＭ２２又はＲＡＭ２３に記憶された制御プログラムを実行し、当該ミキサの全体的な動作制御を行う。また、ＲＯＭ２２又はＲＡＭ２３には、当該ミキサが現在実行している信号処理に用いる各種パラメータ等のワークデータを記憶する記憶領域が設けられている。ＲＯＭ２２又はＲＡＭ２３に設けられた前記記憶領域には、各ＬＥＤボタン９に組み込まれた多色ＬＥＤユニット１０の各ＬＥＤを個別に点灯制御するための点灯制御データが複数記憶される。点灯制御データは、対応するＬＥＤを点灯させる輝度を表すものである。ＣＰＵ２１は、ＲＯＭ２２又はＲＡＭ２３に記憶された点灯制御データに基づき、表示制御回路２４に対して各ＬＥＤの点灯を制御するための命令を与える。
【００３６】
表示部２５には、複数のＬＥＤボタン９のそれぞれに組み込まれた多色ＬＥＤユニット１０や、ＬＣＤディスプレイ２が含まれる。表示制御回路２４は、ＣＰＵから与えられた命令に基づいて、表示部２５における各種情報の表示を制御する。すなわち、表示制御回路２４は、各ＬＥＤボタン９に組み込まれた多色ＬＥＤユニット１０の各ＬＥＤの点灯制御を行う。
【００３７】
操作部２７は、操作パネルに設けられた複数の操作子（図１参照）である。操作検出回路２６は、ユーザによる操作部２７の操作を検出して、該検出した操作の内容に応じた検出信号をＣＰＵ２１に出力する。ＣＰＵ２１は、操作検出回路２６から出力された検出信号に応じた処理を行う。
【００３８】
音響信号Ｉ／Ｏ３１は、アナログ入力ポート、アナログ出力ポート、及びデジタル入出力ポートにより構成される。音響信号Ｉ／Ｏ３１を介して、音響信号（アナログオーディオ信号又はデジタルオーディオ信号）が入出力される。音響信号入出力回路３０は、ＡＤ変換器、及びＤＡ変換器を含んで構成され、所定のサンプリング周期毎に、音響信号Ｉ／Ｏ３１を介して入力されたアナログオーディオ信号をデジタル変換してＤＳＰ３２に供給し、また、所定のサンプリング周期毎に、ＤＳＰ３２から出力されたデジタルオーディオ信号をアナログ信号に変換して音響信号Ｉ／Ｏ３１を介して外部に出力する。また、音響信号入出力回路３０は、音響信号Ｉ／Ｏ３１を介してデジタルオーディオ信号を外部の機器との間で送受信することができる。
【００３９】
ＤＳＰ３２は、音響信号入出力回路３０から供給されたデジタルオーディオ信号に対してＣＰＵ２１から与えられる指示に基づき信号処理を施して、音響信号入出力回路３０へ出力する。ＤＳＰ３２が実行する信号処理に用いる各種パラメータは、ユーザによる操作部２７の操作に応じて制御される。
【００４０】
表示制御回路２４は、ＣＰＵ２１から与えられる命令に基づき、従来から知られるダイナミック点灯という点灯制御方式により各多色ＬＥＤユニット１０（ＬＥＤボタン９）を構成する各ＬＥＤを個別に点灯制御する。図５（ａ），（ｂ）は、ダイナミック点灯方式による多色ＬＥＤユニット１０（ＬＥＤボタン９）の点灯動作を説明する図であって、横軸は時間を示す。（ａ）は、ダイナミック点灯方式により、所定の点灯周期（図の例では１２ミリ秒（１２ｍｓ））毎に、所定の複数個（図の例では８個）の多色ＬＥＤユニット１０を順次点灯させる様子を示す。
【００４１】
図５（ａ）に示す例では、１２ｍｓの点灯周期で８個の多色ＬＥＤユニット１０を１ずつ順番に点灯制御するので、１つの多色ＬＥＤユニット１０に割り当てられた時間は、１２／８ｍｓ＝１．５ｍｓとなる。表示制御回路２４は、１．５ｍｓの期間毎に点灯制御対象の多色ＬＥＤユニット１０を１つずつ切り替えつつ、１２ｍｓの点灯周期内で８個の多色ＬＥＤユニット１０を１ずつ順番に点灯制御する。したがって、１つの多色ＬＥＤユニット１０に着目すれば、１つの多色ＬＥＤユニット１０は、１２ｍｓの周期毎に、１．５ｍｓの期間内だけ点灯制御に基づき点灯し、その期間以外は消灯しているという点滅動作を繰り返していることになる。
【００４２】
各多色ＬＥＤユニット１０は、１２ｍｓ毎の点灯周期（約８３Ｈｚ）で点滅を繰り返しているのであるが、人の目には、残像効果により、各多色ＬＥＤユニット１０が常時点灯しているように見える。したがって、多色ＬＥＤユニット１０は、実際には、図５（ａ）に示すタイミングで点滅しているものの、人の目には、残像効果により、常時点灯しているように見える。
【００４３】
図５（ｂ）は、１．５ｍｓの期間における１つの多色ＬＥＤユニット１０の点灯制御の動作を説明する図である。表示制御回路２４は、１．５ｍｓの期間において、多色ＬＥＤユニット１０を構成する３つの赤色用ＬＥＤ１１，緑色用ＬＥＤ１２及び青色用ＬＥＤ１３の各ＬＥＤに対する点灯制御データに基づいて、各ＬＥＤ１１，１２及び１３を個別に点灯制御する。
【００４４】
各ＬＥＤ１１〜１３に対する点灯制御データは、一例として、１．５ｍｓの期間内でＬＥＤをオン・オフするタイミングを制御するデータである。ＣＰＵ２１が点灯制御データに基づく命令を表示制御回路２４に与えることで、表示制御回路２４は、１．５ｍｓの期間における各ＬＥＤの点灯時間を制御する。この実施例では、点灯制御データは、６ビットのバイナリコードにより構成され、各ビット毎に設定された「１」又は「０」の値により、その点灯制御データに対応するＬＥＤのオン・オフのタイミグを制御する。すなわち、点灯制御データの各ビットのうちオンのタイミングで、そのＬＥＤが点灯し、オフのタイミングで、そのＬＥＤが消灯する。６ビットのバイナリコートにより点灯制御データを構成した場合には、各ビット毎のオン・オフの組み合わせにより、６４通りのオン・オフタイミングのパターンを表現できる。なお、ＬＥＤを消灯する場合には、点灯制御データが表す点灯時間はゼロである。すなわち、いずれのビットにもオンが設定されていないことになる。
【００４５】
例えば、図５（ｂ）には、赤色用ＬＥＤ（Ｒ）を４ビット分の点灯時間だけ点灯し、緑色用ＬＥＤ（Ｇ）を３ビット分の点灯時間だけ点灯し、また、青色用ＬＥＤ（Ｂ）を２ビット分の点灯時間だけ点灯するオン・オフタイミングのパターンの例が示されている。１．５ｍｓの期間あたりのＬＥＤの点灯時間が長いほど、１２ｍｓ毎の点灯周期で点滅した場合の光量が多くなるので、そのＬＥＤの輝度が高くなり、反対に、１．５ｍｓ期間あたりのＬＥＤの点灯時間が短いほど、１２ｍｓ毎の点灯周期で点滅した場合の光量が少なくなるので、そのＬＥＤの輝度が低くなる。すなわち、点灯制御データが表すＬＥＤの点灯時間に応じて、そのＬＥＤを点灯させる輝度が決まる。
【００４６】
ところで、点灯時間の制御という観点からすれば、１．５ｍｓの期間内におけるＬＥＤのオン・オフのタイミグが異なるだけで、同じ点灯時間を持つオン・オフタイミングのパターンについては、それらの区別をする必要は無い。そこで、本実施例では、図６に示すように、それぞれ点灯時間が異なる６通りの時間パターンを予め決めておき、各ＬＥＤに対する点灯制御データとして、図６に示す６通りの時間パターンのいずれかの時間パターンが設定されるものとする。
【００４７】
図６において、「パターン６」は６ビットの全てのビットがオンに設定される時間パターン、「パターン５」は６ビットのうち５ビットがオンに設定される時間パターン、「パターン４」は６ビットのうち４ビットがオンに設定される時間パターン、「パターン３」は６ビットのうち３ビットがオンに設定される時間パターン、「パターン２」は６ビットのうち２ビットがオンに設定される時間パターン、及び「パターン１」は６ビットのうち１ビットがオンに設定される時間パターンである。これら６通りの時間パターン「パターン６」〜「パターン１」は、「パターン６」が最も輝度が高い（明るい）パターンであり、以下、番号順に点灯時間が１段階ずつ短くなるにつれ、輝度が１段階ずつ低くなる。「パターン１」が最も輝度が低い（暗い）パターンである。
【００４８】
ＲＯＭ２２又はＲＡＭ２３には、各ＬＥＤに対する点灯制御データの現在値として、図６に示す「パターン１」〜「パターン６」のいずれか１つの時間パターンが記憶される。ＲＯＭ２２又はＲＡＭ２３に記憶された点灯制御データは、原則的には、複数のＬＥＤボタン９の各々に組み込まれた多色ＬＥＤユニット１０の赤色用ＬＥＤ、緑色用ＬＥＤ、及び青色用ＬＥＤ毎にＲＯＭ２２又はＲＡＭ２３に記憶される。１つの多色ＬＥＤユニット１０は、赤色用ＬＥＤ、緑色用ＬＥＤ、及び青色用ＬＥＤのそれぞれに対する点灯制御データに基づき、各ＬＥＤ毎に点灯制御されるからである。
【００４９】
一方で、図１のチャンネルストリップセクション３の各チャンネルストリップの押しボタンスイッチ６（ＬＥＤボタン９）については、例外的に、物理的な各ＬＥＤボタン９の各ＬＥＤと点灯制御データが一対一に対応するのではなく、チャンネルストリップのＬＥＤボタン９の各ＬＥＤに対する点灯制御データが、そのチャンネルストリップに割り当てられるチャンネル毎の複数個、ＲＯＭ２２又はＲＡＭ２３に記憶される。各チャンネルストリップのＬＥＤボタン９の点灯状態（例えば、ＬＥＤボタン９の点灯オン・オフ状態や、ＬＥＤボタン９の発光色等）は、そのチャンネルストリップに現時点で割り当てられているチャンネルに応じて異なるからである。例えば、或るチャンネルストリップに対してチャンネル番号「１」、又は「１７」を割り当て可能な場合、そのチャンネルストリップに備わる１つの物理的ＬＥＤボタン９に対応して、チャンネル番号「１」についての点灯制御データと、チャンネル番号「１７」についての点灯制御データとの２つの点灯制御データが、ＲＯＭ２２又はＲＡＭ２３に記憶されることになる。
【００５０】
次に、ＬＥＤボタン９の輝度を調整するための操作方法の一例、及び、ＬＥＤボタン９の色合を調整するための操作方法の一例を説明する。先ず、ユーザは、輝度調整モード選択ボタン（Ｂｒｉｇｈｔｎｅｓｓ）１５、又は色合調整モード選択ボタン（Ｃｏｌｏｒ）１６のいずれかを操作して、動作モードを通常モードから輝度調整モード又は色合調整モードのいずれかに切り替える。
【００５１】
図７は、輝度調整モード又は色合調整モードをオンに設定するためにＣＰＵ２１が実行する処理の手順を説明するフローチャートである。図７の処理は、輝度調整モード選択ボタン１５、又は色合調整モード選択ボタン１６のいずれかが操作されて、輝度調整モード又は色合調整モードがオンになるときに起動する。輝度調整モード選択ボタン１５、又は色合調整モード選択ボタン１６のいずれかが操作されたとき、ＣＰＵ２１は、該操作されたボタンが輝度調整モード選択ボタン１５、及び色合調整モード選択ボタン１６のいずれであるかを判断する（ステップＳ１）。操作されたボタンが輝度調整モード選択ボタン１５であれば、ＣＰＵ２１は輝度調整モードをオンにセットする（ステップＳ２）。また、操作されたボタンが色合調整モード選択ボタン１６であれば、ＣＰＵ２１は色合調整モードをオンにセットする（ステップＳ３）。
【００５２】
通常の動作モードがオンの時には、輝度調整モード又は色合調整モードのいずれもオフの状態である。この状態で、輝度調整モード選択ボタン１５、又は色合調整モード選択ボタン１６いずれか一方が操作されたときには、ステップＳ２又はステップＳ３において、ＣＰＵ２１は、音響調整卓１の動作モードを該操作されたボタン１５又は１６に対応する輝度調整モード又は色合調整モードに切り替える。
【００５３】
輝度調整モード選択ボタン１５、又は色合調整モード選択ボタン１６は、１回の操作ごとにオン・オフ状態が切り替わるものであり、且つ、いずれか一方のみが排他的にオン状態になるものとする。よって、ボタン１５又は１６のいずれか一方がオンの状態で、他方のオフ状態のボタンが操作されたときには、ステップＳ２又はステップＳ３において、該操作されたボタンに対応するモードがオフからオンに切り替わると共に、直前までオンであったモードがオフに切り替わる。また、輝度調整モード又は色合調整モードのいずれか一方がオンの状態で、そのオン状態のモードに対応するボタン１５又は１６が操作されたときには、そのモードがオンからオフに切り替わり、動作モードが通常モードに切り替わる。
【００５４】
《輝度調整モード》
ＬＥＤボタン９の輝度（明るさ）を調整する場合には、ユーザは、先ず、輝度調整モード選択ボタン（Ｂｒｉｇｈｔｎｅｓｓ）１５を操作して、上記図７の処理により輝度調整モードをオンにする。そして、調整対象指定ボタン１７，１８，１９及び２０を用いて、調整対象の色（ＬＥＤ）を指定し、ＬＥＤボタン９を操作して、該操作したＬＥＤボタン９に対応する多色ＬＥＤユニット１０中の調整対象の色（ＬＥＤ）について輝度を調整する。
【００５５】
図８は、調整対象となる色（ＬＥＤ）を指定するためにＣＰＵ２１が実行する処理の手順を説明するフローチャートである。図８の処理は、輝度調整モード又は色合調整モードがオンの状態で、調整対象指定ボタン１７，１８，１９及び２０のいずれか１が操作されたときに起動する。すなわち、調整対象指定ボタン１７，１８，１９及び２０の操作は、輝度調整モード又は色合調整モードがオンの状態でのみ有効である。動作モードが通常モードならば対象色指定の操作は行われないからである。
【００５６】
調整対象指定ボタン１７，１８，１９及び２０のいずれかが操作されたとき、ＣＰＵ２１は、該操作されたボタンが調整対象指定ボタン１７，１８，１９及び２０のいずれであるかを判断する（ステップＳ４）。操作された調整対象指定ボタンが、赤色（Ｒ）、緑色（Ｇ）、又は青色（Ｂ）を指定するボタン１７，１８又は１９の場合は、ＣＰＵ２１は、該指定された色のＬＥＤを調整対象にセットする（ステップＳ５）。また、操作された調整対象指定ボタンが、全色（ＡＬＬ）を指定するボタン２０の場合は、ＣＰＵ２１は、ＲＧＢ全ての色のＬＥＤを調整対象にセットする（ステップＳ６）。調整対象指定ボタン１７，１８，１９及び２０は、いずれか１つのみが排他的にオン状態となるものとする。よって、ステップＳ５又はＳ６により新たな調整対象がセットされたときには、直前まで調整対象に指定されていた色は調整対象ではなくなる。
【００５７】
ユーザは、調整対象指定ボタン１７，１８，１９及び２０を用いて調整対象の色（ＬＥＤ）を指定した後、ＬＥＤボタン９を操作して、該操作したＬＥＤボタン９に対応する多色ＬＥＤユニット１０中の調整対象の色（ＬＥＤ）について輝度を調整する。
【００５８】
図９は、輝度調整モードにおいて、調整対象に指定された色（ＬＥＤ）の輝度を変更するために、ＣＰＵ２１が実行する処理の手順を説明するフローチャートである。図９の処理は、ユーザが、輝度調整を行う多色ＬＥＤユニット１０に対応するＬＥＤボタン９を１回押す毎に、起動する。ＬＥＤボタン９が操作されると、ＣＰＵ２１は、前記図８の処理で指定された調整対象の色（ＬＥＤ）が、赤色（Ｒ）、緑色（Ｇ）、又は青色（Ｂ）のいずれか１色であるか、又は全色（ＡＬＬ）であるかを判断する（ステップＳ７）。指定された調整対象が１色か全色かに応じてその後の処理が異なるからである。
【００５９】
指定された調整対象が赤色（Ｒ）、緑色（Ｇ）、又は青色（Ｂ）のいずれか１色（１つのＬＥＤ）の場合、ＣＰＵ２１は、操作されたＬＥＤボタン９に対応する多色ＬＥＤユニット１０中の調整対象の色（ＬＥＤ）に対する点灯制御データの値（時間パターン）を、ＲＯＭ２２又はＲＡＭ２３から取得する（ステップＳ８）。例えば、調整対象として赤色が指定された場合には、操作されたＬＥＤボタン９に対応する多色ＬＥＤユニット１０中の赤色ＬＥＤに対する点灯制御データの現在値をＲＯＭ２２又はＲＡＭ２３から取得する。ここで取得した点灯制御データの現在値が、現時点での、その多色ＬＥＤユニット１０における当該色の輝度に対応する。
【００６０】
そして、ＣＰＵ２１は、前記ステップＳ８で取得した調整対象の色（ＬＥＤ）に対する点灯制御データの値を、それぞれ、１段階輝度の高い時間パターン（図６参照）に変更する（ステップＳ９）。ＣＰＵ２１は、ＲＯＭ２２又はＲＡＭ２３の記憶内容を、前記点灯制御データの値の変更に応じて書き換える。これにより、操作されたＬＥＤボタン９に対応する多色ＬＥＤユニット１０における調整対象の色（ＬＥＤ）の輝度が一段階増す。
【００６１】
また、指定された調整対象が全色（３つのＬＥＤ）の場合、ＣＰＵ２１は、操作されたＬＥＤボタン９に対応する多色ＬＥＤユニット１０を構成する３つのＬＥＤに対する点灯制御データを、ＲＯＭ２２又はＲＡＭ２３から取得する（ステップＳ１０）。そして、ＣＰＵ２１は、前記ステップＳ１０で取得した各ＬＥＤ毎の各点灯制御データの値を、それぞれ、１段階輝度の高い（明るい）パターンに変更する（ステップＳ１１）。ＣＰＵ２１は、ＲＯＭ２２又はＲＡＭ２３の記憶内容を、前記点灯制御データの値の変更に応じて書き換える。これにより、操作されたＬＥＤボタン９に対応する多色ＬＥＤユニット１０の３つのＬＥＤに対する点灯制御データの値が一斉に変更されて、その多色ＬＥＤユニット１０の輝度（明るさ）が一段階増す。すなわち、ステップＳ１０及びステップＳ１１と、前記ステップＳ８及びステップＳ９との違いは、調整対象に指定された１色分の点灯制御データについて処理するか、全色分（３つのＬＥＤ分）の点灯制御データについて処理するか、という点である。
【００６２】
《ＬＥＤボタンを１つずつ操作する方法》
輝度調整モードにおいて、ＬＥＤの輝度調整の操作方法の一例には、調整対象の色（ＬＥＤ）を有するＬＥＤボタン９自体を操作することで、そのＬＥＤボタン９に組み込まれた多色ＬＥＤユニット１０中の調整対象の色（ＬＥＤ）の輝度を調整する方法がある。この場合、操作されたＬＥＤボタン９に組み込まれた多色ＬＥＤユニット１０が前記「ＬＥＤボタン９に対応する多色ＬＥＤユニット１０」に該当する。ユーザは、音響調整卓１に備わる複数のＬＥＤボタン９について、１つずつ個別に、ＬＥＤボタン９に組み込まれた多色ＬＥＤユニット１０中のＬＥＤ毎の輝度の調整を行うことができる。
【００６３】
調整対象を１色ずつ指定した場合（調整対象指定ボタン１７，１８又は１９をオンにした場合）には、輝度の変更具合を視認しながらＬＥＤボタン９を１回ずつ押すと、ＣＰＵ２１がステップＳ８及びＳ９を実行することで、調整対象の色の輝度が１段階ずつ増す。ＬＥＤボタン９の操作により、調整対象に指定した色（ＬＥＤ）が所望の明るさになったら、ユーザは、そのＬＥＤボタン９の操作を終了する。この作業を複数のＬＥＤボタン９について行うことで、各ＬＥＤボタン９の各ＬＥＤ毎にユーザの好みの明るさを得ることができる。この方法によれば、例えば、あるＬＥＤボタン９の輝度を基準として、他のＬＥＤボタン９の輝度をＬＥＤ毎に調整することで、複数のＬＥＤボタン９の間での個々のＬＥＤの輝度のバラツキを補正することができる。
【００６４】
また、調整対象として全色を指定した場合（調整対象指定ボタン２０をオンにした場合）には、ＬＥＤボタン９を１回操作するごとに、ＣＰＵ２１がステップＳ１０及びＳ１１を実行することで、そのＬＥＤボタン９に組み込まれた多色ＬＥＤユニット１０の全てのＬＥＤの明るさが１段階ずつ増す。したがって、この場合、ユーザは、多色ＬＥＤユニット１０全体の輝度を調整して、その多色ＬＥＤユニット１０の明るさを変更できる。そのＬＥＤボタン９が所望の明るさになったら、そのＬＥＤボタン９の操作を終了する。この作業を複数のＬＥＤボタン９について行うことで、各ＬＥＤボタン９毎にユーザの好みの明るさを得ることができる。複数ＬＥＤボタン９の間での多色ＬＥＤユニット１０全体の輝度のバラツキを補正したい場合には、この方法が適している。
【００６５】
《チャンネル選択ボタンを用いる方法》
輝度調整モードにおける操作方法の別の例として、コントロールセクション７のチャンネル選択ボタン８を用いて、輝度を変更する方法がある。チャンネル選択ボタン８は、前述の通り、通常の動作モードでは、チャンネルストリップセクション３の複数のチャンネルストリップに割り当てるチャンネルグループを選択するためのボタンとして機能する。これに対して、輝度調整モードがオンのときには、チャンネル選択ボタン８は、チャンネルストリップセクションの各チャンネルストリップに備わるＬＥＤボタン９（押しボタンスイッチ６）に組み込まれた多色ＬＥＤユニット１０について、調整対象指定ボタン１７，１８，１９及び２０で指定された調整対象の色（ＬＥＤ）の輝度を調整するためのボタンとして機能する。
【００６６】
チャンネル選択ボタン８を用いて輝度調整する場合、ＣＰＵ２１は、チャンネル選択ボタン８が１回操作される毎に、調整対象に指定された色（１色分のＬＥＤ又は全色分のＬＥＤ）について、操作されたチャンネル選択ボタン８に対応するチャンネルグループに属する各チャンネル毎に設定されたＬＥＤの点灯制御データ（つまり複数チャンネル分の複数の点灯制御データ）の値を、ＲＯＭ２２又はＲＡＭ２３から取得して、該取得した各点灯制御データの値を、それぞれ一段階輝度の高い時間パターンに変更する。この場合には、チャンネルストリップセクションの各チャンネルストリップのＬＥＤボタン９（押しボタンスイッチ６）に組み込まれた多色ＬＥＤユニット１０が、前記「操作されたＬＥＤボタン９に対応する多色ＬＥＤユニット１０」に該当することになる。
【００６７】
従って、ユーザは、チャンネル選択ボタン８を操作する毎に、その時点で現に発光している各チャンネルストリップのＬＥＤボタン９（押しボタンスイッチ６）の輝度を、１段階ずつ、一斉に明るくすることができる。すなわち、１つのチャンネル選択ボタン８を操作することで、そのチャンネル選択ボタン８とは別の複数のＬＥＤボタン９（押しボタンスイッチ６）について、一括して調整対象の色（１色分のＬＥＤ又は全色分のＬＥＤ）の輝度の調整を行うことができる。この作業を、複数のチャンネル選択ボタン８について行うことで、各チャンネル選択ボタン８に対応する各チャンネルをチャンネルストリップに呼び出したときのＬＥＤボタン９（押しボタンスイッチ６）の輝度を調整することができる。
なお、ここでは、その時点でチャンネルストリップセクションの各チャンネルストリップに割り当てられているチャンネルグループに対応するチャンネル選択ボタン８を操作することを想定している。ＬＥＤの輝度調整は、現時点で点灯中のＬＥＤボタン９の点灯具合を視認しながら行うのが自然だからである。
【００６８】
なお、現時点でチャンネルストリップセクション３に割り当てられているチャンネルグループに対応するチャンネル選択ボタン８（オン状態のもの）以外のチャンネル選択ボタン８を用いて輝度調整するときには、例えば、そのチャンネル選択ボタン８の１回目の操作によりチャンネルストリップセクション３に割り当てるチャンネル群を切り替えてから、次回の操作以降で輝度調整が開始するようにしてよい。
【００６９】
以上の通り、「輝度調整モード」においては、音響調整卓において、多色ＬＥＤユニット１０を組み込んだＬＥＤボタン９毎に、該多色ＬＥＤユニット１０を構成する各ＬＥＤ１１〜１３の輝度を、ユーザの操作により調整することができるようになるという優れた効果を奏する。これに伴い、例えば、あるＬＥＤボタン９の輝度を基準として、他のＬＥＤボタン９の輝度をＬＥＤ毎に調整することや、複数のＬＥＤボタン９の間の各ＬＥＤ毎の輝度のバラツキを簡単に修正することができるようになる。更に、この輝度調整の作業は、輝度調整モードを起動して、調整対象の色を指定してから、輝度調整を行いたい多色ＬＥＤユニット１０に対応する操作子を操作するだけで行うことができるので、簡潔でわかり易い方法により行うことができる。また、ＬＥＤの点灯具合を自動測定する機構等が不要であるため、輝度調整の機能はコストをかけずに実現できる。
【００７０】
《色合調整モード》
次に「色合調整モード」について説明する。
ＬＥＤボタン９の色合（色相）を調整する場合には、ユーザは、先ず、色合調整モード選択ボタン１６を操作して、色合調整モードをオンにする（上記図７の処理）。そして、ユーザは、調整対象指定ボタン１７，１８，１９及び２０のいずれかを操作して調整対象の色（ＬＥＤ）を指定し、ＬＥＤボタン９を操作して、該操作したＬＥＤボタン９に対応する多色ＬＥＤユニット１０中の調整対象の色（ＬＥＤ）について色合を調整する。調整対象指定ボタン１７，１８，１９及び２０の操作に応じてＣＰＵ２１が実行する調整対象色を指定するための処理は、前記図８を参照して説明したものと同様であるため、上記を援用して、その説明を省略する。
【００７１】
色合調整モードでは、ＬＥＤボタン９の操作に応じて、当該ＬＥＤボタン９に対応する多色ＬＥＤユニット１０中の調整対象に指定された色（ＬＥＤ）の輝度を高くするとともに、他の色（ＬＥＤ）の輝度を低くすることで、多色ＬＥＤユニット１０のＲＧＢバランスを変更し、それにより多色ＬＥＤユニット１０（ＬＥＤボタン９）の発光色の色合を調整する。図１０は、色合調整モードにおいて、多色ＬＥＤユニット１０の発光色の色合を変更するときの、ＲＧＢバランスの変化の様子を説明する図である。
【００７２】
図１０において、多色ＬＥＤユニット１０中の各色のＬＥＤが最大の輝度で点灯した状態をそれぞれ１００％で表すとすると、（ａ）は、多色ＬＥＤユニット１０の赤色用ＬＥＤ（Ｒ）が７０％、緑色用ＬＥＤ（Ｇ）が２０％、及び青色用ＬＥＤ（Ｂ）が５０％の輝度でそれぞれ点灯した状態を例示している。この状態において、調整対象の色として赤が指定された場合には、ＬＥＤボタン９の操作に応じて、（ａ）の状態から（ｂ）の状態にＲＧＢのバランスが変化する。（ｂ）では、（ａ）に比べて、調整対象の赤色の輝度が１０％高くなり、他の緑色と青色の輝度がそれぞれ１０％ずつ低くなる。これにより、多色ＬＥＤユニット１０全体として赤みが強くなる方向で、発光色の色合が変化する。このように、ＬＥＤボタン９の操作に応じて、多色ＬＥＤユニット１０のＲＧＢバランスを変更すること、すなわち、赤色用ＬＥＤ、緑色用ＬＥＤ、及び青色用ＬＥＤの輝度の比率を変更することで、当該多色ＬＥＤユニット１０の発光色の色合を任意に作成、或いは調整することができる。なお、本明細書において、「色合」とは、赤色用ＬＥＤ、緑色用ＬＥＤ、及び青色用ＬＥＤの各色の組み合わせにより作成される色（色相）を指す用語とする。
【００７３】
図１１は、色合調整モードにおいて、調整対象に指定された色（ＬＥＤ）について色合を変更するために、ＣＰＵ２１が実行する処理の手順を説明するフローチャートである。図１１の処理は、ユーザが、色合調整を行う多色ＬＥＤユニット１０に対応するＬＥＤボタン９を１回押す毎に、起動する。ＣＰＵ２１は、前記図８の処理で指定された調整対象の色（ＬＥＤ）が、赤色（Ｒ）、緑色（Ｇ）、又は青色（Ｂ）のいずれか１色であるか、又は、全色（ＡＬＬ）であるかを判断する（ステップＳ１２）。指定された調整対象が１色か全色かに応じてその後の処理が異なるからである。
【００７４】
調整対象を１色ずつ指定した場合（調整対象指定ボタン１７，１８又は１９をオンにした場合）には、ＣＰＵ２１は、操作されたＬＥＤボタン９に対応する多色ＬＥＤユニット１０中の調整対象の色（ＬＥＤ）に対する点灯制御データの値を、１段階輝度の高いパターンに変更するとともに（ステップＳ１３）、調整対象以外の色（ＬＥＤ）に対する点灯制御データの値を、１段階輝度の低いパターンに変更する（ステップＳ１４）。ＣＰＵ２１は、ＲＯＭ２２又はＲＡＭ２３の記憶内容を、前記点灯制御データの値の変更に応じて書き換える。すなわち、ＬＥＤボタン９が１回ずつ操作される毎に、ＣＰＵ２１は、ステップＳ１３及びＳ１４を実行することにより、ユーザによって操作されたＬＥＤボタン９に対応する多色ＬＥＤユニット１０において、調整対象に指定された色（ＬＥＤ）の輝度が相対的に高くなるよう、該多色ＬＥＤユニット１０を構成する複数のＬＥＤの輝度の比率を変更する（図１０参照）。
【００７５】
なお、色合調整モードは、調整対象に指定された色に対応するＬＥＤの輝度が相対的に高くして、多色ＬＥＤユニット１０を構成する複数のＬＥＤの輝度の比率を変更することで、該指定された色について色合を調整することを目的としているので、原則的には、調整対象指定ボタン２０を使用すること（調整対象に全色を指定すること）はない。その場合、当該多色ＬＥＤユニット１０の発光色の色合が変化せずに、全体の明るさが増すことになるからである。
ただし、このことはユーザの使用方法に係ることなので、調整対象指定ボタン２０が操作されたときにＣＰＵ２１が実行する処理は、図１１に描いた。すなわち、調整対象として全色が指定された場合（調整対象指定ボタン２０をオンにした場合）には、ＣＰＵ２１は、操作されたＬＥＤボタン９に対応する多色ＬＥＤユニット１０を構成する３つのＬＥＤ（赤色（Ｒ）、緑色（Ｇ）、及び青色（Ｂ）の全色）に対する点灯制御データの値を、１段階輝度の高いパターンに変更する処理が行われ（ステップＳ１５）、その多色ＬＥＤユニット１０の輝度が全体的に増す。
【００７６】
色合調整モードにおける操作方法は、上記輝度調整モードでした説明と同様に、ＬＥＤボタン９の操作に応じて、該操作されたＬＥＤボタン９に組み込まれた多色ＬＥＤユニット１０の色合を調整する方法（ＬＥＤボタン９を１つずつ操作する方法）及び、チャンネル選択ボタン８の操作に応じて、チャンネルストリップセクションの各チャンネルストリップのＬＥＤボタン９に組み込まれた多色ＬＥＤユニット１０の色合を変更する方法（チャンネル選択ボタン８を用いる方法）のいずれの方法も可能である。
【００７７】
「ＬＥＤボタン９を１つずつ操作する方法」の場合、ユーザによりＬＥＤボタン９が１回ずつ操作される毎に、ＣＰＵ２１がステップＳ１３及びＳ１４を実行することで、そのＬＥＤボタン９の色合が変更される。ユーザは、色合の変更具合を視認して、必要に応じて調整対象の色を変更したりしながら、そのＬＥＤボタン９の色合を調整する。そのＬＥＤボタン９が所望の色合になったら、そのＬＥＤボタン９の操作を終了する。この作業を複数のＬＥＤボタン９について行うことで、ＬＥＤボタン９毎にユーザの好みの色合を得ることができる。すなわち、ＬＥＤボタン９毎に、その発光色を任意の色合に設定することができる。
【００７８】
また、「チャンネル選択ボタン８を用いる方法」の場合、ＣＰＵ２１は、チャンネル選択ボタン８が１回操作される毎に、調整対象に指定された色（１色分のＬＥＤ又は全色分のＬＥＤ）について、操作されたチャンネル選択ボタン８に対応するチャンネルグループに属する各チャンネル毎に設定されたＬＥＤに対する点灯制御データ（つまり複数チャンネル分の複数の点灯制御データ）の値を、ＲＯＭ２２又はＲＡＭ２３から取得して、該取得した各点灯制御データの値を、それぞれ一段階輝度が高い時間パターンに変更するとともに（ステップＳ１３）、調整対象以外の色（ＬＥＤ）に対する点灯制御データの値を、それぞれ一段階輝度が低い時間パターンに変更する（ステップＳ１４）。この場合には、チャンネルストリップセクションの各チャンネルストリップのＬＥＤボタン９（押しボタンスイッチ６）に組み込まれた多色ＬＥＤユニット１０が、前記「操作されたＬＥＤボタン９に対応する多色ＬＥＤユニット１０」に該当することとなる。
【００７９】
したがって、ユーザによりチャンネル選択ボタン８が操作される毎に、その時点で現に発光している各チャンネルストリップのＬＥＤボタン９（押しボタンスイッチ６）の色合が変更されることになる。すなわち、ユーザは、１つのチャンネル選択ボタン８を操作することで、そのチャンネル選択ボタン８とは別の複数のＬＥＤボタン９（押しボタンスイッチ６）について、一括して調整対象の色（１色分のＬＥＤ）の色合の調整を行うことができる。なお、ここでは、その時点でチャンネルストリップセクションの各チャンネルストリップに割り当てられているチャンネルグループに対応するチャンネル選択ボタン８を操作することを想定しているが、上記の輝度調整について説明したのと同様に、現時点でチャンネルストリップセクション３に割り当てられているチャンネルグループに対応するチャンネル選択ボタン８（オン状態のもの）以外のボタン８を用いて色合調整をすることも可能である。
【００８０】
以上の通り、「色合調整モード」においては、多色ＬＥＤユニット１０を組み込んだＬＥＤボタン９毎に、その発光色の色合をユーザの操作により任意に作成することや、その色合をユーザの操作により調整することができるという優れた効果を奏する。これに伴い、ＬＥＤボタン９毎の発光色をユーザが独自に設定することが可能となり、ユーザ自身にとって操作しやすい環境をつくることができる。また、色合の調整は、調整対象の色を指定して、ＬＥＤ毎に行うので、個々のＬＥＤの発光特性のバラツキに起因する複数のＬＥＤ操作子の間の色合のバラツキを簡単に修正することができる。更に、この色合調整の作業は、色合調整モードを起動して、調整対象の色を指定してから、色合調整を行いたい多色ＬＥＤユニットに対応する操作子を操作するだけで行うことができるので、簡潔でわかり易い方法によって行うことができる。
【００８１】
なお、上記図６においては、６ビットの点灯制御データについて、予め６通りのパターンを決めておくものとし、「輝度調整モード」及び「色合調整モード」においてはＬＥＤボタン９の操作ごとに、該６通りの時間パターンが順次切り替わる例について説明したが、６ビットの点灯制御データで表現可能な６４通りのパターン全てを使えるようにしてもよい。要するに、点灯制御データが表す点灯時間を変更することで、その点灯制御データに対応するＬＥＤの輝度が変更されればよいのである。また、点灯制御データのサイズ（ビット数）は６ビットに限定されない。
【００８２】
また、輝度調整モードに関して、上記図９のステップＳ９及びステップＳ１１の点灯制御データを一段階ずつ輝度の高いものに変更する処理において、点灯制御データが最大値に達した場合、それ以降のＬＥＤボタン９の操作が無効となる（それ以降は値が変化しない）よう構成してもよいし、最小値に戻るように構成してもよい。
【００８３】
また、色合調整モードに関して、上記図１１のステップＳ１３及びステップＳ１５においては、ＬＥＤボタン９の操作毎に調整対象の色の点灯制御データを一段階ずつ輝度の高いものに変更し、それ以外の色の点灯制御データを一段階ずつ輝度の低いものに変更する処理としたが、このように調整対象の色を強くすると同時に他の色を弱くする構成に限らず、調整対象の色について点灯制御データを一段階ずつ輝度の高いものに変更する処理（調整対象の色を強くする処理）だけを行うよう構成してもよい。また、その場合、調整対象の色について点灯制御データが最大値に達した後に、調整対象以外の色について点灯制御データを１段階ずつ輝度の低いものに下げる（つまり調整対象以外の色を弱くする）よう構成してもよい。
【００８４】
また、図３において、コントロールセクション７に、輝度調整モード選択ボタン１５、色合調整モード選択ボタン１６、及び調整対象指定ボタン１７、１８、１９並びに２０が設けられた構成例、すなわち、ＬＥＤボタン９の輝度調整、又は色合調整に係る操作子が、物理的操作子として具備される構成例を示した。しかし、これらＬＥＤボタン９の輝度調整、又は色合調整に係る操作子１５〜２０は、操作パネル上に物理的操作子として設けられているものに限らず、ＬＣＤディスプレイ２に、これらＬＥＤボタン９の輝度調整、又は色合調整に係る操作子の画像を表示し、ＬＥＤボタン９の輝度調整、又は色合調整に係る操作子画像により構成されてもよい。
【００８５】
また、上記実施例では、ＬＥＤボタン９の操作に応じて点灯制御データが表す時間パターンを変更することで、調整対象となっているＬＥＤの点灯時間を変更し、それにより多色ＬＥＤユニット１０の輝度又は色合が変更される構成例、すなわち、点灯制御データの電圧値を変えずに、時間パターンを変更することで、ＬＥＤの輝度を変更する構成例について説明したが、これに限らず、ＬＥＤボタン９の操作に応じて点灯制御データの電圧値を変更して、多色ＬＥＤユニット１０の輝度又は色合が変更されるよう構成してもよい。この場合、多色ＬＥＤユニット１０の各ＬＥＤ１１〜１３は、対応する点灯制御データが示す電圧値に応じた輝度で点灯制御される。そして、輝度調整の場合には、ＣＰＵ２１は、ユーザの操作に応じて、上記図９のステップＳ８及びＳ９又はステップＳ１０及びＳ１１に該当する処理を実行し、また、色合調整の場合には、上記図１１のステップＳ１３及びＳ１４に該当する処理を実行することで、調整対象となっているＬＥＤに対する点灯制御データが示す電圧値を変更して、そのＬＥＤの輝度を調整する。この構成であっても、多色ＬＥＤユニット１０の輝度又は色合を変更することが可能である。電圧値の変更は、例えば、ＬＥＤボタン９の１回の操作毎に、電圧値が１０％ずつ段階的に増える、という具合に行われる。
【００８６】
更に、ＬＥＤボタン９の操作に応じて点灯制御データの時間パターンを変更するか、電圧値を変更するかをユーザに選択させる操作子を備える構成とすることで、点灯制御データが示す時間パターンを変更するか、電圧値を変更するかを、ユーザが選択できるようにしてもよい。具体的な構成例としては、点灯制御データのパターンを変更することを選択する操作子と、電圧値を変更することを選択する操作子を、例えば図３のコントロールセクションなど操作パネル上に設けられた物理的操作子として設ける構成であってもよいし、それら操作子をＬＣＤディスプレイ２に表示される操作子画像によって構成してもよい。また、点灯制御データのパターンを変更することを選択する操作子、及び電圧値を変更することを選択する操作子それら操作子を設けた場合、輝度調整モード選択ボタン１５、及び色合調整モード選択ボタン１６を設けなくとも良い。この場合、輝度調整モード又は色合調整モードをオンにする指示は、実質的には、点灯制御データのパターンを変更することを選択する操作子、及び電圧値を変更することを選択する操作子を用いて行うことができるからである。
【００８７】
また、上記実施例では、ＬＥＤ操作子の構成例として、多色ＬＥＤユニットが組み込まれた押しボタンスイッチからなるＬＥＤボタン９を例示したが（図２参照）、ＬＥＤ操作子の構成は、これに限定されない。すなわち、ＬＥＤボタン９の操作形態は、上記実施例に示す押しボタンスイッチに限らず、回転式に操作するノブ型操作子や、スライド式に操作するレベル操作子など、どのようなタイプの操作子であっても本発明を適用することができる。ノブ型操作子であれば、その回転位置又は回転操作に応じて対応する多色ＬＥＤユニット１０の輝度又は色合を変更すればよいし、フェーダ型操作子の操作位置又はスライド操作に応じて対応する多色ＬＥＤユニット１０の輝度又は色合を変更すればよい。また、ＬＥＤ操作子は、多色ＬＥＤユニット１０が対応する操作子自体に組み込まれた自照式操作子に限らず、例えば、操作子の近傍に設けられたものなどであっても、本発明における「多色ＬＥＤユニットが組み込まれたＬＥＤ操作子」に含まれる。
【００８８】
また、上記実施例では、調整対象指定ボタン１７，１８，１９及び２０は、いずれか１つのみが排他的にオン状態となるものとして説明したが、各色毎に調整対象を指定する調整対象指定ボタン１７，１８及び１９については、１以上の複数を同時にオンにすることができてもよい。つまり、２つの色を調整対象に指定することができてもよい。この場合、ＣＰＵ２１は、前記ステップＳ５において該指定された２つの色に対応するＬＥＤを調整対象にセットし、輝度調整モードの場合には前記ステップＳ８及びＳ９において該指定された２つの色に対する各点灯制御データを輝度が高いものに変更する。また、色合調整モードの場合には、ＣＰＵ２１は、前記ステップＳ１３及びＳ１４において、指定された２つの色について各点灯制御データの輝度を上げるとともに、指定された色以外の色に対応するＬＥＤについて点灯制御データが表す輝度を下げる。
【００８９】
また、上記実施例では、輝度又は色合を調整したい多色ＬＥＤユニット１０に対応するＬＥＤボタン９自体を操作することにより、その多色ＬＥＤユニット１０の輝度又は色合を調整する構成について説明したが、この場合には、各色毎の調整については、その多色ＬＥＤユニット１０中の３色のＬＥＤの色を１つずつ指定しなければならない。
この点に関する別の構成例を図１２に示す。図１２は、図３に示すコントロールセクション７の変更例を示している。図１２において、図３に示す調整対象指定ボタン１７〜２０に代えて、３色のＬＥＤの各色に対応する３つの輝度又は色合調整用操作子４０，４１及び４２が設けられている。操作子４０，４１及び４２は、例えば、回転操作されるノブ型操作子（ロータリーエンコーダ）により構成される。この場合、輝度調整モード又は色合調整モードにおいて、ユーザが輝度又は色合を調整したい多色ＬＥＤユニット１０に対応するＬＥＤボタン９を指定すると、該指定の操作に応じて、ＣＰＵ２１は、該指定されたＬＥＤボタン９に対応する多色ＬＥＤユニット１０の３つのＬＥＤに対する点灯制御データを、それぞれ対応する輝度又は色合調整用操作子４０，４１及び４２に対して割り当てる処理を行う。そして、３つの輝度又は色合調整用操作子４０，４１及び４２のそれぞれの操作に応じて、ＣＰＵ２１は、各操作子４０，４１及び４２に割り当てられた点灯制御データが表す輝度を変更する。これにより、ユーザは、前記指定されたＬＥＤボタン９に対応する多色ＬＥＤユニット１０の３色のＬＥＤの輝度又は色合を個別に調整することができる。
ＬＥＤボタン９が押しボタンスイッチの場合の操作方法の一例として、そのＬＥＤボタン９を押し続けた状態で、輝度又は色合調整用操作子４０，４１及び４２を操作することで、そのＬＥＤボタン９について輝度又は色合調整を行うことができ、ＬＥＤボタン９の押し下げを解くことで、そのＬＥＤボタン９について輝度又は色合調整を終了する、という方法が可能である。
更に、この場合、輝度又は色合調整用操作子４０，４１及び４２の何れか１つに３色のＬＥＤに対する点灯制御データを一括して割り当てることで、その輝度又は色合調整用操作子の操作に応じて、３色のＬＥＤの輝度又は色合を一括して調整することができてよい。
なお、上記３色のＬＥＤの各色に対応する３つの輝度又は色合調整用操作子の操作形態は、ノブ型操作子に限らず、押しボタンスイッチ、あるいはフェーダ型操作子など、どのような形態であってもよい。また、輝度又は色合調整用操作子４０，４１及び４２として専用の操作子を設ける構成に限らず、本来は他の用途に充てられた操作子が、輝度調整モード又は色合調整モードがオンのときにだけ、輝度又は色合調整用操作子４０，４１及び４２として機能するよう構成してもよい。
【００９０】
また、輝度調整モード又は色合調整モードにおける操作方法の別の例として説明した「チャンネル選択ボタン８を用いる方法」において、ユーザが「チャンネル選択ボタン８」を操作する例を挙げたが、ユーザが操作する操作子は「チャンネル選択ボタン８」に限らず、ユーザによる操作子の操作に応じて、その操作された操作子とは別の所定の複数のＬＥＤボタン９について輝度調整又は色合調整が行われるのであれば、どの操作子であっても差し支えない。また、この方法においては、ユーザが操作する操作子とは別の複数のＬＥＤボタン９について輝度又は色合を調整するのであるから、ユーザが操作する操作子自体がＬＥＤボタン９である必要もない。
【００９１】
上記実施例では、本発明に係る音響調整卓１が、ミキシング処理用のＤＳＰを筐体内に備えたデジタルオーディオミキサの操作パネルを構成する例、すなわち音響調整卓自体が、オーディオ信号のミキシングに必要な音響信号Ｉ／Ｏ３１や、ＤＳＰ３２を具備する構成について説明したが（図４参照）、信号処理を行うためのＤＳＰを有するＤＳＰ装置、及び音響信号Ｉ／Ｏの機能を有する入出力装置等、各機能がそれぞれ単体の装置により構成され、その装置を互いにネットワーク接続して構成したミキシングシステムを構成する音響調整卓に本願発明を適用してもよい。
また、デジタルオーディオミキサに限らずアナログオーディオミキサの音響調整卓にも本願発明を適用できる。
【符号の説明】
【００９２】
１  音響調整卓、２  ＬＣＤディスプレイ、３  チャンネルストリップセクション、４  レベル操作子、５  ノブ型操作子、６  押しボタンスイッチ、７  コントロールセクション、８  チャンネル選択ボタン、９  ＬＥＤボタン、９ａ  キートップ部、１０  多色ＬＥＤユニット、１１，１２及び１３  ＬＥＤ、１４  制御線、１５  輝度調整モード選択ボタン、１５  輝度調整モード選択ボタン、１６  色合調整モード選択ボタン、１７，１８，１９及び２０  調整対象指定ボタン、２１  ＣＰＵ、２２、ＲＯＭ、２３、ＲＡＭ、２４  表示制御回路、２５  表示部、２６  操作検出回路、２７  操作部、２８  通信制御回路、２９  通信Ｉ／Ｏ、３０  音響信号入出力回路、３１、音響信号Ｉ／Ｏ、３２  信号処理回路（ＤＳＰ）、３３  通信バス、４０，４１，４２  輝度又は色合調整用操作子
【図１】
2010232839.tif 000003
【図２】
2010232839.tif 000004
【図３】
2010232839.tif 000005
【図４】
2010232839.tif 000006
【図５】
2010232839.tif 000007
【図６】
2010232839.tif 000008
【図７】
2010232839.tif 000009
【図８】
2010232839.tif 000010
【図９】
2010232839.tif 000011
【図１０】
2010232839.tif 000012
【図１１】
2010232839.tif 000013
【図１２】
2010232839.tif 000014